(57)【要約】【課題】  標準時には、従来の標準装備品サンバイザーと同等の大きさで、運転時には、縦、横両方向にサンバイザーの遮光面積が拡張でき、駐車時には、窓全体を遮光できるサンシェード機能を実現するサンシェード機能付き自動車用サンバイザーを提供する。【解決手段】  メインバイザーＤ１と、それからスライドレールＤ３で横方向に引き出されるサブバイザーＤ２と、メインバイザーＤ１とサブバイザーＤ２からスライドレールＤ８で縦方向に引き出される拡張バイザーＤ４と、メインバイザーＤ１とサブバイザーＤ２の内部に収納されたスクリーンＤ９と、拡張バイザーＤ４をメインバイザーＤ１，サブバイザーＤ２から取り外すことによりスクリーンＤ９を引き出すことを可能としたサンシェード機能付き自動車用サンバイザーである。【選択図】        図７
2011020631.tif 000002
【特許請求の範囲】
【請求項１】
自動車用サンバイザーであって、
メインバイザーと、
前記メインバイザーから横方向のスライドレールで横方向に引き出されるサブバイザーと、
前記メインバイザーから縦方向のスライドレールで縦方向に引き出される第１の拡張バイザーと、
前記サブバイザーから縦方向のスライドレールで縦方向に引き出される第２の拡張バイザーと、
前記メインバイザー内部に、遮光用の素材の一端が巻き取られて格納され、前記素材の他端が前記第１の拡張バイザーに接続する第１のスクリーンと、
前記サブバイザー内部に、遮光用の素材の一端が巻き取られて格納され、前記素材の他端が前記第２の拡張バイザーに接続する第２のスクリーンとを備え、
前記第１の拡張バイザーを前記メインバイザーから取り外すことにより前記第１のスクリーンを引き出すことが可能であり、
前記第２の拡張バイザーを前記サブバイザーから取り外すことにより前記第２のスクリーンを引き出すことが可能であることを特徴とするサンシェード機能付き自動車用サンバイザー。
【請求項２】
第１のスクリーンの一端が巻き付けられた第１のリールと、
前記第１のスクリーンが引き出される方向に前記第１のリールが回転すると、ゼンマイが巻かれ、当該ゼンマイの緩む力を利用して前記第１のスクリーンを巻き取る第１の巻き取り装置と、
第２のスクリーンの一端が巻き付けられた第２のリールと、
前記第２のスクリーンが引き出される方向に前記第２のリールが回転すると、ゼンマイが巻かれ、当該ゼンマイの緩む力を利用して前記第２のスクリーンを巻き取る第２の巻き取り装置とを有することを特徴とする請求項１記載のサンシェード機能付き自動車用サンバイザー。
【請求項３】
第１の巻き取り装置において第１のスクリーンの巻き取り動作を停止させると共に、当該停止を解除する第１のロックスイッチと、
第２の巻き取り装置において第２のスクリーンの巻き取り動作を停止させると共に、当該停止を解除する第２のロックスイッチとを有することを特徴とする請求項２記載のサンシェード機能付き自動車用サンバイザー。
【請求項４】
第１の拡張バイザーにおいて、メインバイザーの縦方向のスライドレール側面をバネ圧で押す突出部を備え、前記突出部で前記スライドレール側面を押すことで前記第１の拡張バイザーを任意の位置に保持する第１の拡張バイザーストッパーと、
第２の拡張バイザーにおいて、サブバイザーの縦方向のスライドレール側面をバネ圧で押す突出部を備え、前記突出部で前記スライドレール側面を押すことで前記第２の拡張バイザーを任意の位置に保持する第２の拡張バイザーストッパーとを有することを特徴とする請求項１乃至３のいずれか記載のサンシェード機能付き自動車用サンバイザー。
【請求項５】
メインバイザーの縦方向スライドレールの側面を凹凸形状とし、当該凹凸形状の凹部に第１の拡張バイザーストッパーの突出部が納まるようにし、
サブバイザーの縦方向スライドレールの側面を凹凸形状とし、当該凹凸形状の凹部に第２の拡張バイザーストッパーの突出部が納まるようにしたことを特徴とする請求項４記載のサンシェード機能付き自動車用サンバイザー。
【請求項６】
第１の拡張バイザーストッパーにおける突出部を第１の拡張バイザー内に収納してストッパーを解除する第１のストッパー解除装置と、
第２の拡張バイザーストッパーにおける突出部を第２の拡張バイザー内に収納してストッパーを解除する第２のストッパー解除装置とを有することを特徴とする請求項４又は５記載のサンシェード機能付き自動車用サンバイザー。
【請求項７】
メインバイザーの上部であってサブバイザーが引き出される方向とは反対側の端部に、自動車のフロントウインドウ端部の天井に取り付けられるメインステーと、
前記メインバイザーの上部であって前記サブバイザーが引き出される方向の端部に、自動車のフロントウインドウ中央寄りの天井に取り付けられるサブステーとを有することを特徴とする請求項１乃至６のいずれか記載のサンシェード機能付き自動車用サンバイザー。
【発明の詳細な説明】
【技術分野】
【０００１】
本発明は、サンシェード機能付き自動車用サンバイザーに係り、特に、運転時には拡張可能なサンバイザーとして使用可能で、駐車時にはフロントガラスを全体に遮光できるサンシェードとしても利用可能なサンシェード機能付き自動車用サンバイザーに関する。
【背景技術】
【０００２】
［従来の技術］
殆どの自動車において、標準装備されているフロントセクション部の日除け装置は運転席及び助手席上に設置されている板状のサンバイザーである。
【０００３】
［関連技術］
尚、関連する先行技術として、特開２００７−３０７９３９号公報「サンバイザー」（出願人：トヨタ紡織株式会社：特許文献１）、実開平０７−１１４１４号公報「自動車フロントガラス日よけシート巻き取り装置」（出願人：冨永登：特許文献２）がある。
【０００４】
特許文献１には、サンバイザー拡張部がサンバイザーから引き出されて拡張し、サンバイザーを上方向に回転させると、その回転に連動してサンバイザー拡張部が元の位置に戻ることが示されている。
【０００５】
特許文献２には、巻き取り棒に巻き付けられたシートを引き出して使用し、巻き取り棒に取り付けられたゼンマイバネによりシートを巻き取ることが示されている。
【先行技術文献】
【特許文献】
【０００６】
【特許文献１】特開２００７−３０７９３９号公報
【特許文献２】実開平０７−１１４１４号公報
【発明の概要】
【発明が解決しようとする課題】
【０００７】
しかしながら、従来の標準装備品のサンバイザーでは、遮光面積が固定、もしくは横方向に少し伸長できるだけなので、西日等の低い位置からの入射光や、左右広角からの入射光に対する日除けとして充分に機能せず、運転時の安全性に問題があった。
【０００８】
また、夏季の駐車時等に車内温度の上昇や車内の日焼けを抑える為、窓全体を遮光するような機能は無く、車内環境を快適に保つ面も不充分であった。
【０００９】
これらの問題点への対応として、既に様々な部品メーカーから各種の日除け装置が提供されているが、純正オプション部品ではなく後付け設置になる為、「使い勝手が悪い」「見た目が悪い」「収納、保管に難がある」等の問題点が多いものとなっていた。
【００１０】
［発明の目的］
本発明は上記実情に鑑みて為されたもので、従来の標準装備品サンバイザーと同等の大きさで、運転時に縦、横両方向に遮光面積が拡張できる機能と、駐車時に窓全体を遮光できる機能を備えた多機能サンバイザーを開発し、操作性や美観を損ねることなく運転時の安全性と車内環境の向上を図ることができるサンシェード機能付き自動車用サンバイザーを提供することを目的とする。
【課題を解決するための手段】
【００１１】
上記従来例の問題点を解決するための本発明は、サンシェード機能付き自動車用サンバイザーであって、メインバイザーと、メインバイザーから横方向のスライドレールで横方向に引き出されるサブバイザーと、メインバイザーから縦方向のスライドレールで縦方向に引き出される第１の拡張バイザーと、サブバイザーから縦方向のスライドレールで縦方向に引き出される第２の拡張バイザーと、メインバイザー内部に、遮光用の素材の一端が巻き取られて格納され、該素材の他端が第１の拡張バイザーに接続する第１のスクリーンと、サブバイザー内部に、遮光用の素材の一端が巻き取られて格納され、該素材の他端が第２の拡張バイザーに接続する第２のスクリーンとを備え、第１の拡張バイザーをメインバイザーから取り外すことにより第１のスクリーンを引き出すことが可能であり、第２の拡張バイザーをサブバイザーから取り外すことにより第２のスクリーンを引き出すことが可能であることを特徴とする。
【００１２】
本発明は、上記サンシェード機能付き自動車用サンバイザーにおいて、第１のスクリーンの一端が巻き付けられた第１のリールと、第１のスクリーンが引き出される方向に第１のリールが回転すると、ゼンマイが巻かれ、当該ゼンマイの緩む力を利用して第１のスクリーンを巻き取る第１の巻き取り装置と、第２のスクリーンの一端が巻き付けられた第２のリールと、第２のスクリーンが引き出される方向に第２のリールが回転すると、ゼンマイが巻かれ、当該ゼンマイの緩む力を利用して第２のスクリーンを巻き取る第２の巻き取り装置とを有することを特徴とする。
【００１３】
本発明は、上記サンシェード機能付き自動車用サンバイザーにおいて、第１の巻き取り装置において第１のスクリーンの巻き取り動作を停止させると共に、当該停止を解除する第１のロックスイッチと、第２の巻き取り装置において第２のスクリーンの巻き取り動作を停止させると共に、当該停止を解除する第２のロックスイッチとを有することを特徴とする。
【００１４】
本発明は、上記サンシェード機能付き自動車用サンバイザーにおいて、第１の拡張バイザーにおいて、メインバイザーの縦方向のスライドレール側面をバネ圧で押す突出部を備え、該突出部でスライドレール側面を押すことで第１の拡張バイザーを任意の位置に保持する第１の拡張バイザーストッパーと、第２の拡張バイザーにおいて、サブバイザーの縦方向のスライドレール側面をバネ圧で押す突出部を備え、該突出部でスライドレール側面を押すことで第２の拡張バイザーを任意の位置に保持する第２の拡張バイザーストッパーとを有することを特徴とする。
【００１５】
本発明は、上記サンシェード機能付き自動車用サンバイザーにおいて、メインバイザーの縦方向スライドレールの側面を凹凸形状とし、当該凹凸形状の凹部に第１の拡張バイザーストッパーの突出部が納まるようにし、サブバイザーの縦方向スライドレールの側面を凹凸形状とし、当該凹凸形状の凹部に第２の拡張バイザーストッパーの突出部が納まるようにしたことを特徴とする。
【００１６】
本発明は、上記サンシェード機能付き自動車用サンバイザーにおいて、第１の拡張バイザーストッパーにおける突出部を第１の拡張バイザー内に収納してストッパーを解除する第１のストッパー解除装置と、第２の拡張バイザーストッパーにおける突出部を第２の拡張バイザー内に収納してストッパーを解除する第２のストッパー解除装置とを有することを特徴とする。
【００１７】
本発明は、上記サンシェード機能付き自動車用サンバイザーにおいて、メインバイザーの上部であってサブバイザーが引き出される方向とは反対側の端部に、自動車のフロントウインドウ端部の天井に取り付けられるメインステーと、メインバイザーの上部であってサブバイザーが引き出される方向の端部に、自動車のフロントウインドウ中央寄りの天井に取り付けられるサブステーとを有することを特徴とする。
【発明の効果】
【００１８】
本発明によれば、メインバイザーと、メインバイザーから横方向のスライドレールで横方向に引き出されるサブバイザーと、メインバイザーから縦方向のスライドレールで縦方向に引き出される第１の拡張バイザーと、サブバイザーから縦方向のスライドレールで縦方向に引き出される第２の拡張バイザーと、メインバイザー内部に、遮光用の素材の一端が巻き取られて格納され、該素材の他端が第１の拡張バイザーに接続する第１のスクリーンと、サブバイザー内部に、遮光用の素材の一端が巻き取られて格納され、該素材の他端が第２の拡張バイザーに接続する第２のスクリーンとを備え、第１の拡張バイザーをメインバイザーから取り外すことにより第１のスクリーンを引き出すことが可能であり、第２の拡張バイザーをサブバイザーから取り外すことにより第２のスクリーンを引き出すことが可能であるサンシェード機能付き自動車用サンバイザーとしているので、標準時には、従来の標準装備品サンバイザーと同等の大きさで、運転時には、縦、横両方向にサンバイザーの遮光面積が拡張でき、駐車時には、窓全体を遮光できるサンシェード機能を実現し、操作性や美観を損ねることなく運転時の安全性と車内環境の向上を図ることができる効果がある。
【図面の簡単な説明】
【００１９】
【図１】本発明の実施の形態に係るサンシェード機能付き自動車用サンバイザーの斜視図である。
【図２】本発明の実施の形態に係るサンシェード機能付き自動車用サンバイザーの背面斜視図である。
【図３】本サンバイザーの取り付け・利用方法を説明するための概略図である。
【図４】本サンバイザーの標準状態の詳細構成図である。
【図５】バイザー拡張状態の詳細構成図である。
【図６】拡張バイザーストッパー詳細構成図である。
【図７】スクリーン引き出し状態の詳細構成図である。
【図８】標準状態を示す概略図である。
【図９】縦方向に遮光面積を拡張する時の状態を示す概略図でである。
【図１０】横方向に遮光面積を拡張する時の状態を示す概略図でである。
【図１１】縦、横両方向に遮光面積を拡張する時の状態を示す概略図でである。
【図１２】窓全体を覆うような広範囲の遮光をする時の状態を示す概略図でである。
【図１３】固定用フックで固定する時の状態を示す概略図である。
【図１４】拡張バイザー取っ手の応用例を示す概略図である。
【発明を実施するための最良の形態】
【００２０】
本発明の実施の形態について図面を参照しながら説明する。
［実施の形態の概要］
本発明の実施の形態に係るサンシェード機能付き自動車用サンバイザーは、メインバイザーと、メインバイザーから横方向のスライドレールで横方向に引き出されるサブバイザーと、メインバイザーから縦方向のスライドレールで縦方向に引き出される第１の拡張バイザーと、サブバイザーから縦方向のスライドレールで縦方向に引き出される第２の拡張バイザーと、メインバイザー内部に、遮光用の素材の一端が巻き取られて格納され、該素材の他端が第１の拡張バイザーに接続する第１のスクリーンと、サブバイザー内部に、遮光用の素材の一端が巻き取られて格納され、該素材の他端が第２の拡張バイザーに接続する第２のスクリーンとを備え、第１の拡張バイザーをメインバイザーから取り外すことにより第１のスクリーンを引き出すことを可能とし、第２の拡張バイザーをサブバイザーから取り外すことにより第２のスクリーンを引き出すことを可能としたものであり、標準時には、従来の標準装備品サンバイザーと同等の大きさで、運転時には、縦、横両方向にサンバイザーの遮光面積が拡張でき、駐車時には、窓全体を遮光できるサンシェード機能を実現できるものである。
【００２１】
［本サンバイザーの概略構成：図１，図２］
本発明の実施の形態に係るサンシェード機能付き自動車用サンバイザーについて図１、図２及び図３を参照しながら説明する。図１は、本発明の実施の形態に係るサンシェード機能付き自動車用サンバイザーの斜視図であり、図２は、本発明の実施の形態に係るサンシェード機能付き自動車用サンバイザーの背面斜視図である。
本発明の実施の形態に係るサンシェード機能付き自動車用サンバイザー（本サンバイザー）は、図１及び図２に示すように、メインバイザー１にサブバイザー２が取り付けられている構成となっている。
【００２２】
メインバイザー１とサブバイザー２はステー部分（メインステー３及びサブステー４）の有無以外は同一構造で、各々に遮光面積拡張用の拡張バイザーと、窓全体の遮光ができるスクリーンが内蔵されている。拡張バイザーとスクリーンの詳細は後述する。
【００２３】
取り付け用のメインステー３は、メインバイザー１の端部に取り付けられ、伸縮、折り曲げ、回転ができるもので、本サンバイザーの各機能を自動車のフロントウインドウとサイドウインドウで利用することができる。
具体的には、サブバイザー２がスライドして引き出される方向とは反対側の端部にメインステー３が設けられ、フロントウインドウの端部の天井に取り付けられる。
【００２４】
サブステー４は、メインバイザー１の上部に取り付けられ、固定具５に嵌め込んで、本サンバイザーを所定の位置に固定できる。
具体的には、サブステー４は、サブバイザー２が引き出される方向の端部に設けられ、フロントウインドウの中央寄りの天井に取り付けられた固定具５に嵌め込まれる。
【００２５】
［本サンバイザーの取り付け・利用方法：図３］
本サンバイザーの取り付け・利用方法について図３を参照しながら説明する。図３は、本サンバイザーの取り付け・利用方法を説明するための概略図である。
図３に示すように、自動車、トラック等のフロントウインドウの端部（右ハンドルの場合は右端部）近傍の天井にメインステー３をネジ等で固定し、更に、ルームミラー近傍（フロントウインドウの中央寄り）の天井であって、サブステー４が届く位置にサブステー４用の固定具５をネジ等で固定する。
【００２６】
フロントウインドウで使用する場合は、サブステー４を固定具５に嵌め込んで利用し、サイドウインドウで使用する場合は、サブステー４を固定具５から外してサイドウインドウ側に本サンバイザーを回転させて利用するものである。
【００２７】
［本サンバイザーの詳細構成：図４〜図７］
本サンバイザーの内部を含めた詳細構成について図４〜図７を参照しながら説明する。図４は、本サンバイザーの標準状態の詳細構成図であり、図５は、バイザー拡張状態の詳細構成図であり、図６は、拡張バイザーストッパー詳細構成図であり、図７は、スクリーン引き出し状態の詳細構成図である。
【００２８】
［標準状態とバイザー横方向拡張状態：図４，図５］
本サンバイザーは、図４及び図５に示すように、メインバイザー（１）Ｄ１とサブバイザー（２）Ｄ２との取付け面はスライドレールの形状になったサブバイザースライドレールＤ３を備えており、サブバイザーＤ２を横方向に引き出すことができる。これで横方向に遮光面積を拡張する。
【００２９】
スライドレールの形状とは、メインバイザーＤ１の背面（サブバイザーＤ２との接触面）に横方向に凹形状の凹部が形成され、これに対するサブバイザーＤ２の面では、凹部に挿入される凸形状の凸部が形成され、凹部に対して凸部を横方向に移動（スライド）可能になっている。
また、凹部と凸部は、スライドするものの、両者が容易に外れないように、凹部の内側が広く、それに合わせて凸部の先端が広く形成している。
【００３０】
サブバイザースライドレールＤ３は、適度な摺動抵抗を持っており、サブバイザーＤ２を収納位置及び任意の引き出し位置で保持することができる。
サブバイザーＤ２を最大限に引き出した際のサンバイザー全体の横幅は標準状態の約１．８倍になり、運転席と助手席のサンバイザーを合わせればフロントウインドウ全体を覆うのに充分な幅を有する。
ここで、助手席用のサンバイザーは、運転席用とはシンメトリー形状（対称形状）となっている。
【００３１】
［バイザー縦方向拡張状態：図５］
メインバイザーＤ１及びサブバイザーＤ２には拡張バイザーＤ４が内蔵されている。
メインバイザーＤ１に内蔵される拡張バイザーが第１の拡張バイザーであり、サブバイザーＤ２に内蔵される拡張バイザーが第２の拡張バイザーである。
拡張バイザーＤ４は、拡張バイザースライドレールＤ８に支持され、縦方向（下方向）に引き出すことができる。これで縦方向に遮光面積を拡張する。
【００３２】
拡張バイザースライドレールＤ８は、適度な摺動抵抗を持っており、拡張バイザーＤ４を収納位置及び任意の引き出し位置で保持することができる。
拡張バイザーＤ４を最大限に引き出した際のサンバイザー全体の縦長さは、サンバイザーのサイズによるが、概ね標準状態の１．５倍程度になる。
【００３３】
拡張バイザーＤ４にはバネ圧で突出している突出部を備えるストッパーＤ５が設けられており、特に、図６に示すように、拡張バイザースライドレールＤ８に引っ掛かる構造になっている。これによって通常は拡張バイザーＤ４がメインバイザーＤ１、サブバイザーＤ２本体から外部に抜けなくなっている。
【００３４】
具体的には、拡張バイザースライドレールＤ８は、ストッパーＤ５の接触面に複数の凹凸形状を備えており、その凹部にストッパーＤ５の突出部が納まって、拡張バイザーＤ４を任意の位置に保持できる構成となっている。
尚、拡張バイザースライドレールＤ８は、ストッパーＤ５の接触面を凹凸形状とせず、ストレートにして、ストッパーＤ５の押力で拡張バイザーＤ４を任意の位置に保持するようにしてもよい。
【００３５】
拡張バイザーＤ４は、拡張バイザー取っ手Ｄ６部分にあるストッパー解除引き手Ｄ７の操作によってストッパーＤ５を収納し、メインバイザーＤ１、サブバイザーＤ２本体から外部に抜き取ることができる。
メインバイザーＤ１に内蔵された拡張バイザーに設けられたストッパー解除引き手が第１のストッパー解除引き手であり、サブバイザーＤ２に内蔵された拡張バイザーに設けられたストッパー解除引き手が第２のストッパー解除引き手である。
尚、拡張バイザー取っ手Ｄ６とストッパー解除引き手Ｄ７を拡張バイザーから外側に突出した形状とはせず、拡張バイザーの内側に組み込むようにしてもよい。
【００３６】
図６に示すように、拡張バイザー取っ手Ｄ６とストッパー解除引き手Ｄ７は、重なって形成され、ストッパー解除引き手Ｄ７だけを下側に引き出すと、ストッパーＤ５自体を引っ張って拡張バイザーＤ４内に収納するものである。
【００３７】
拡張バイザーストッパーＤ５及びストッパー解除引き手Ｄ７の詳細な構造について説明する。
ストッパーＤ５とストッパー解除引き手Ｄ７とは、拡張バイザーＤ４内部で機械的に接続され、ストッパー解除引き手Ｄ７の操作によってストッパーＤ５が拡張バイザーＤ４内に収納される。
【００３８】
ストッパーＤ５とストッパー解除引き手Ｄ７の接続方法として、ロッドとベルクランクの組合せ、スライド機構と直進カムの組合せ、ワイヤーケーブル等（またはこれらの複合）がある。
また、クランク機構やカム機構によって操作方向を変えることで、ストッパー解除引き手の他に押ボタンやレバー等にすることもできる。これらのストッパーを解除する手段を「ストッパー解除装置」と呼ぶことができる。
【００３９】
ストッパーＤ５は、ストッパー解除引き手Ｄ７の操作による動作の他に外圧によって単独で動作する（収納される）機能をもっている。よって拡張バイザーＤ４の引き抜き時以外にストッパー解除引き手Ｄ７を操作する必要はない。
【００４０】
［スクリーン引き出し状態：図７］
拡張バイザーＤ４の上部には遮光用のスクリーンＤ９が接続されており、拡張バイザーＤ４を抜き取ることでスクリーンＤ９が本サンバイザー外部に引き出せる。これで広範囲（窓全体）の遮光を行う。
メインバイザーＤ１に収納されたスクリーンが第１のスクリーンであり、サブバイザーＤ２に収納されたスクリーンが第２のスクリーンである。
【００４１】
スクリーンＤ９は、リールＤ１０に巻かれてロール状に収納されている。
スクリーンＤ９の縦の長さは、引き出した際にフロントウインドウを覆うのに必要な８００〜９００ｍｍ程度を有するが、スクリーンＤ９の素材をフィルム等の極薄素材にすることでリール巻き取り径は小さく抑えることが可能である。
【００４２】
リールＤ１０は、ギヤボックスＤ１１内のギヤを介して巻き取り装置Ｄ１２に接続しており、リールＤ１０と巻き取り装置Ｄ１２の巻き取り軸は連動して回転する。
巻き取り装置Ｄ１２は、一般的なゼンマイバネ使用したタイプで、スクリーンＤ９を引き出す方向にリールＤ１０が回転するとゼンマイが巻かれ、ゼンマイの緩む力を利用してスクリーンＤ９を巻き取る。
メインバイザーＤ１内に設けられる巻き取り装置が第１の巻き取り装置であり、サブバイザーＤ２内に設けられる巻き取り装置が第２の巻き取り装置である。
【００４３】
巻き取り装置Ｄ１２には巻き取り軸を固定して巻き取り動作を停止させるロックスイッチＤ１３があり、スクリーンＤ９を任意の引き出し長さで保持することができる。
ロックスイッチＤ１３は、ロック方向に動作させると、ギヤボックスＤ１１内のギヤを固定（ロック）することにより、巻き取り装置Ｄ１２の巻き取り軸をロックする。
また、ロックスイッチＤ１３は、アンロック方向に動作させると、ギヤボックスＤ１１内のギヤを解放（アンロック）することにより、巻き取り装置Ｄ１２の巻き取り軸をアンロックする。
第１の巻き取り装置に設けられたロックスイッチが第１のロックスイッチであり、第２の巻き取り装置に設けられたロックスイッチが第２のロックスイッチである。
ロック機構付きの巻き取り装置は、ロールスクリーンや巻尺等で実用化されている既存の技術を利用することができる。
【００４４】
拡張バイザーＤ４の取っ手Ｄ６には持ち手を兼ねた穴が空いており、固定用フックＤ１４に引っ掛けてスクリーン端部を固定する。
スクリーン固定用フックＤ１４は、ダッシュボード上やフロントウインドウ下部等に吸盤や粘着テープを使用して取り付ける。
尚、取っ手Ｄ６の持ち手に穴を設けるのではなく、拡張バイザーに差込口を設け、スクリーン固定用具を差し込んで固定する構造としてもよい。
【００４５】
［本サンバイザーの動作：図８〜図１３］
本サンバイザーの動作について図８〜図１３を参照しながら説明する。図８は、標準状態を示す概略図であり、図９は、縦方向に遮光面積を拡張する時の状態を示す概略図であり、図１０は、横方向に遮光面積を拡張する時の状態を示す概略図であり、図１１は、縦、横両方向に遮光面積を拡張する時の状態を示す概略図であり、図１２は、窓全体を覆うような広範囲の遮光をする時の状態を示す概略図であり、図１３は、固定用フックで固定する時の状態を示す概略図である。
【００４６】
まず、図８の標準状態から、図９に示すように、縦方向に遮光面積を拡張する時には、メインバイザーＤ１に収納された拡張バイザーＤ４を、拡張バイザー取っ手Ｄ６を引っ張って下方向に拡張させる。
【００４７】
また、図８の標準状態から、図１０に示すように、横方向に遮光面積を拡張する時には、サブバイザーＤ２を、サブバイザースライドレールＤ３をスライドさせて横方向に拡張させる。
【００４８】
また、縦、横両方向に遮光面積を拡張する時には、図１１に示すように、図９の状態から、サブバイザーＤ２を、サブバイザースライドレールＤ３をスライドさせて横方向に拡張させ、更に、サブバイザーＤ２に収納された拡張バイザーＤ４を、拡張バイザー取っ手Ｄ６を引っ張って拡張バイザースライドレールＤ８をスライドさせ、下方向に拡張させる。
【００４９】
若しくは、縦、横両方向に遮光面積を拡張する時には、図１１に示すように、図１０の状態から、メインバイザーＤ１に収納された拡張バイザーＤ４を、拡張バイザー取っ手Ｄ６を引っ張って拡張バイザースライドレールＤ８をスライドさせ、下方向に拡張させ、更に、サブバイザーＤ２に収納された拡張バイザーＤ４を、拡張バイザー取っ手Ｄ６を引っ張って拡張バイザースライドレールＤ８をスライドさせ、下方向に拡張させる。
【００５０】
次に、窓全体を覆うような広範囲の遮光をする時には、図１２に示すように、メインバイザーＤ１、サブバイザーＤ２の各々から拡張バイザーＤ４を、ストッパー解除引き手Ｄ７を移動させてストッパーＤ５を解除することにより、引き抜き、スクリーンＤ９を引き出す。
【００５１】
スクリーンＤ９の端部（拡張バイザー取っ手Ｄ６）を固定用フックＤ１４に固定することにより、図１３に示すように、巻き取り装置Ｄ１２によってスクリーンＤ９が弛むことなく、フロントウインドウに張られる。
スクリーンＤ９の端部を固定用フックＤ１４で固定しない場合は、巻き取り装置Ｄ１２のロックスイッチＤ１３を使いスクリーンＤ９を引き出した状態で保持する。
スクリーンＤ９、拡張バイザーＤ４、サブバイザーＤ２を収納する時は、逆手順で標準状態に戻す。
【００５２】
［拡張バイザー取っ手Ｄ６の応用例：図１４］
次に、拡張バイザー取っ手Ｄ６の応用例について図１４を参照しながら説明する。図１４は、拡張バイザー取っ手Ｄ６の応用例を示す概略図である。
本バイザーでは、操作性を第一に考え、拡張バイザー取っ手Ｄ６は拡張バイザーＤ４から出っ張った形になっている。しかし、この形は運転者の視界の妨げになる懸念が多少ある。そこで拡張バイザー取っ手周りの形態例として以下の形状とすることができる。
【００５３】
拡張バイザーＤ４から出っ張った形状の取っ手ではなく、拡張バイザーＤ４下部に設けた凹みＥ１を取っ手とする。
拡張バイザー取っ手（凹み）Ｅ１を操作する為にメインバイザーＤ１（サブバイザーＤ２）の下部に切り欠きＥ２を設ける。
拡張バイザーＤ４のストッパー解除引き手Ｅ３は、拡張バイザー取っ手Ｅ１の凹み内に外側に突出して設ける。当該突出部をレバーとして下方向にスライドさせることで、ストッパーＤ５を解除する。
【００５４】
スクリーンＤ９を引き出した際に拡張バイザーＤ４端部を固定するフックはフック先端を細くして拡張バイザー取っ手Ｅ１の凹みに引っ掛ける方法にする。
また別の方法としてマグネットキャッチやベルトのバックル等に利用されているプラスチックファスナーＥ４によって固定するようにしてもよい。
【００５５】
［実施の形態の効果］
本サンバイザーによれば、メインバイザーＤ１、サブバイザーＤ２、拡張バイザーＤ４によって、サンバイザーの遮光面積が縦、横両方向に拡張し、拡張された状態が保持されるので、運転時にまぶしくなるのを防止して安全性を向上させることができると共に、停車時にはスクリーンＤ９を引き出して遮光できるので、窓全体を覆う日除け機能による車内環境を向上させることができ、一台の装置で、サンバイザーとサンシェードとして利用することができる効果がある。
【００５６】
また、本サンバイザーによれば、サンシェードとしてもサンバイザーとしても使用しない場合は、その形状を極力小型化でき、従来の標準装備品サンバイザーと同等の大きさのものに上記の機能を持たせたことによる美観を維持し、操作が煩雑化するのを低減できる効果がある。
【００５７】
また、本サンバイザーによれば、運転席又は助手席のサイドウインドウで使用するときは、サブバイザーＤ２をメインバイザーＤ１から横方向にスライドさせて拡張し、そのサブバイザーＤ２から拡張バイザーＤ４を下方向に引き出して、更に、その拡張バイザーＤ４からスクリーンＤ９を引き出した場合、運転席からサイドミラーの部分には、拡張バイザーＤ４又はスクリーンＤ９を引き出さないように構成にできるので、運転者からサイドミラーが見えにくくなることはなく、サイドウインドウからの入射光を効率的に遮光できる効果がある。
【００５８】
尚、本実施の形態は、一つの実施例であって、発明の本質的でない部分は、種々変更できるものである。
【産業上の利用可能性】
【００５９】
本発明は、標準時には、従来の標準装備品サンバイザーと同等の大きさで、運転時には、縦、横両方向に遮光面積が拡張できる機能と、駐車時には、窓全体を遮光できる機能を備え、操作性や美観を損ねることなく運転時の安全性と車内環境の向上を図ることができるサンシェード機能付き自動車用サンバイザーに好適である。
【符号の説明】
【００６０】
１（Ｄ１）…メインバイザー、  ２（Ｄ２）…サブバイザー、  ３…メインステー、  ４…サブステー、  ５…固定具、  Ｄ３…サブバイザースライドレール、  Ｄ４…拡張バイザー、  Ｄ５…ストッパー、  Ｄ６…拡張バイザー取っ手、  Ｄ７…ストッパー解除引き手、  Ｄ８…拡張バイザースライドレール、  Ｄ９…スクリーン、  Ｄ１０…リール、  Ｄ１１…ギヤボックス、  Ｄ１２…巻き取り装置、  Ｄ１３…ロックスイッチ、  Ｄ１４…固定用フック、  Ｅ１…拡張バイザー取っ手（凹み）、  Ｅ２…切り欠き、  Ｅ３…ストッパー解除引き手、  Ｅ４…プラスチックファスナー
【図１】
2011020631.tif 000003
【図２】
2011020631.tif 000004
【図３】
2011020631.tif 000005
【図４】
2011020631.tif 000006
【図５】
2011020631.tif 000007
【図６】
2011020631.tif 000008
【図７】
2011020631.tif 000009
【図８】
2011020631.tif 000010
【図９】
2011020631.tif 000011
【図１０】
2011020631.tif 000012
【図１１】
2011020631.tif 000013
【図１２】
2011020631.tif 000014
【図１３】
2011020631.tif 000015
【図１４】
2011020631.tif 000016